【事件の表示】
　特願２００２−１２０１７５「巻き鉄心及びその製造方法」拒絶査定不服審判事件〔平成１５年１１月　７日出願公開、特開２００３−３１８０３９、請求項の数（３）〕について、次のとおり審決する。
【結　論】
　原査定を取り消す。
　本願の発明は、特許すべきものとする。
【理　由】
１　手続の経緯
　本願は，平成１４年４月２３日の出願であって，平成１９年５月１日に手続補正書が提出されたが，平成１９年１０月３０日付けで拒絶査定がされ，これに対し，平成１９年１２月４日に審判請求がされたものである。
　なお，拒絶査定の理由の要点は，本願発明は先願発明と実質的に同一でるから，特許法２９条の２の規定により特許を受けることができないというものである。
　
２　本願発明
（１）平成１９年５月１日の手続補正書によれば，本願の特許請求の範囲のうち，請求項１に係る発明は，次のとおりである。
　
「磁性帯板（１１）を渦巻き状に巻回して構成される環状の巻き鉄心において，磁性帯板（１１）の巻き初め端部（１２）及び巻き終わり端部（１３）はそれぞれ，先端に向かって幅が縮小する端縁を有し，巻き終わり端部（１３）の端縁は，磁性帯板（１１）の幅方向の中心位置に中心点を有すると共に磁性帯板（１１）の幅を直径として該端縁の幅方向の両端を結ぶ半円の円弧線上，若しくは該円弧線よりも内側を伸びており，巻き終わり端部（１３）は，前記円弧線の中心点の１点のみにて下層の磁性帯板（１１）に溶接されていることを特徴とする巻き鉄心。」
　
（２）本願発明の目的及び効果について，本願明細書には，次の記載がある。
・「【０００８】本発明の目的は，磁性帯板のめくれ上がりや輪郭形状のいびつ化を招くことのない巻き鉄心の構造並びにその製造方法を提供することである。」
・「【００２７】上述の如く，本発明に係る巻き鉄心及びその製造方法によれば，巻き鉄心（１）を構成する磁性帯板（１１）の端部がめくれ上がったり，巻き鉄心(１)の輪郭形状がいびつになったりすることはないので，巻き鉄心（１）の形状を修正する仕上げ加工は不要となり，この結果，安定した品質と低いコストを実現することが出来る。」
　
３　先願明細書の記載内容と先願発明
（１）原査定の拒絶の理由に引用された，本願の出願日前の他の出願であって，本願の出願後に出願公開された特願２０００−４０３３１８号（特開２００２−２０３７１２号公報参照）の願書に最初に添付した明細書及び図面（以下「先願明細書」という。）には，「巻回型コア」（発明の名称）に関して，図１〜図５とともに，次の記載がある（下線は当審で付加したもの）。
　　ア　従来の技術等
「【０００１】【発明の属する技術分野】
この発明は，帯状のアモルファス金属箔を環状に巻回して構成する巻回型コアの構造に関する
【０００２】
【従来の技術】近年，アモルファス金属の優れた磁気特性を利用したインダクタ等の電子部品が広く用いられている。
【０００３】ところで，アモルファス金属は溶融した金属を急冷することによって優れた特性を得るもので有るため，鋳造により製造することは困難である。このため，液相温度以上に加熱された合金融液を高速で回転する銅製の冷却ロール上にノズルから噴出させ，冷却固化させる片ロール法により，帯状のアモルファス金属箔として製造される。このような片ロール法によって得られる帯状のアモルファス金属箔は，合金融液の噴出量をコントロールしても完全に平坦にすることが極めて困難であり，厚さが微妙に異なるものとなってしまう。
【０００４】この帯状のアモルファス金属箔を用いて，カットコアまたはトロイダルコア等を製造する方法としては，アモルファス金属箔を巻き軸に取り付けて回転することにより，アモルファス金属箔を巻回して環状の巻回コアを構成している。」
　　イ　発明が解決しようとする課題
「【０００５】【発明が解決しようとする課題】
帯状のアモルファス金属箔は，一般にバネ鋼のようなバネ弾性を有する素材であり，帯状のアモルファス金属箔を環状に巻回して巻回コアとした場合には，図４（ａ）および（ｂ）に示すように，アルミニウム金属箔の巻き始め部５および巻き終わり部６が巻回コア１の内周面および外周面から離脱して巻きほぐれが発生する
【０００６】しかしながら，巻回コアの巻き芯の径が小さい場合には，巻回した後に内周部に巻き止めテープを貼付することやスポット溶接をすることは困難となる。
【０００７】また，前述したように，帯状のアモルファス金属箔は厚さにばらつきがあり，バネ弾性力は個々の巻回コアによって異なる。そのため，巻回コアの外周部巻き止めテープを巻回コアの全面に巻いたり，溶接箇所を増やして接合強度を強めたりする必要があり，製造工程の煩雑化を引き起こしていた。
【０００８】さらに，スポット溶接や巻き止めテープにて巻きほぐれを防止する場合でも，アモルファス金属箔を固定するまでは仮止めをしておく必要があり，この際に巻回コアを適正な形状を維持しながら巻き止めテープを貼付したり，溶接を行うことは困難であった。
【０００９】そこで，この発明は巻回した後に巻きほぐれが起こることのない巻回コアの構造を提供するものである。」
　　ウ　課題を解決するための手段　
「【００１０】【課題を解決するための手段】
この発明では，帯状のアモルファス金属箔を環状に巻回してなる巻回型コアにおいて，帯状のアモルファス金属箔の巻き始め部を幅狭に形成した
【００１１】
アモルファス金属箔の巻き始め部を幅狭に形成することにより，この幅狭部分はバネ弾性が弱くなり，巻回コアの内周面から離脱する力が弱まる
このため，巻回コアの内周面の曲率にアモルファス金属箔の先端部が従うようになり，内周面での巻きほぐれを防止することができる。
帯状のアモルファス金属箔を環状に巻回してなる巻回型コアにおいて，該巻回型コアの巻き終わり部を幅狭に形成した
【００１３】
巻き終わり部を幅狭に形成することにより，幅狭部分はバネ弾性が弱くなり，巻回コアの外周面から離脱する力が弱まる。このため，巻回したコアの形状を適正に維持することができる
【００１４】さらに，
巻き始め部と巻き終わり部は溶接または巻き止めテープによって固定することが好ましい
【００１５】溶接または巻き止めテープによって固定することにより，巻回コアの巻き芯部及び外周面ではより強固な固定が得られ，巻回コアの巻きほぐれを確実に防止することができる。」
　　エ　発明の実施の形態
・「【００１６】【発明の実施の形態】
次にこの発明の実施の形態を図１とともに説明する。図１（ａ）に示すように，鉄系非晶質金属よりなる帯状のアモルファス金属箔２を巻き軸３に取り付ける。この際，アモルファス金属箔２の巻き始め部５は角部を斜めに切断して，先端が幅狭となるように形成した。その後，図１（ｂ）に示すように巻き軸３を回転して，所定の巻回数だけ巻回し，所望の大きさの巻回コア１に形成したところで巻き軸３の回転を止め，図１（ｃ）に示すように，アモルファス金属箔２を長手方向に直角に切断した
【００１７】そして
，図１（ｄ）に示すように，巻回コアの巻き終わり部をスポット溶接により巻回コアに溶接（溶接点４）し，アモルファス金属箔２に巻き終わり部６を固定した
・「【００２２】
アモルファス金属箔２の巻き始め部および巻き終わり部を幅狭にする形状としては，図３（ａ）および（ｂ）に示すように角部の一方を切断して先端部を幅狭にする形状の他，図３（ｃ）に示すような，角部の両方を切断して先端部を幅狭とすることができる
・「【００２６】
さらに，図３（ｅ）に示すように，アモルファス金属箔の先端部を曲線形状に切断しても良く，図３（ｆ）に示すように，直線状の切断部と曲線形状の切断部を組み合わせたものでも良い
以上のようにアモルファス金属箔の先端を曲線形状とする場合，その曲率半径はアモルファス金属箔の幅手方向の幅の１／２以下の長さとすることが好ましい
【００２７】
巻き終わり部の固定は，図５（ａ）に示すような，アモルファス金属箔２の先端部を溶接（溶接点４）によって固定する
【００２８】なお，巻き芯の径が大きい場合には，巻き始め部をスポット溶接ないし巻き止めテープを貼付することによって巻き始め部を巻回コアの内周面に固定することもでき，巻き始め部の巻きほぐれを確実に防止することができる。」
　　オ　発明の効果
「【００４２】【発明の効果】
この発明では，帯状のアモルファス金属箔を環状に巻回してなる巻回型コアにおいて，帯状のアモルファス金属箔の巻き始め部を幅狭に形成したことにより，アモルファス金属箔の巻き始め部を幅狭に形成することにより，この幅狭部分はバネ弾性が弱くなり，巻回コアの内周面から離脱する力が弱まる。このため，巻回コアの内周面の曲率にアモルファス金属箔の先端部が従うようになり，内周面での巻きほぐれを防止することができる
【００４３】
また，帯状のアモルファス金属箔を環状に巻回してなる巻回型コアにおいて，該巻回型コアの巻き終わり部を幅狭に形成したことのより，巻き終わり部を幅狭に形成することにより，幅狭部分はバネ弾性が弱くなり，巻回コアの外周面から離脱する力が弱まる。このため，巻回したコアの形状を適正に維持することができる
【００４４】
さらに，巻き始め部と巻き終わり部は溶接または巻き止めテープによって固定したことにより，巻回コアの内周面または外周面ではより強固な固定が得られ，巻回コアの巻きほぐれを確実に防止することができる
　　カ　特許請求の範囲の記載
「【請求項１】 帯状のアモルファス金属箔を環状に巻回してなる巻回型コアにおいて，該
巻回型コアの巻き始め部を幅狭に形成した
【請求項２】 帯状のアモルファス金属箔を環状に巻回してなる巻回型コアにおいて，該
巻回型コアの巻き終わり部を幅狭に形成した
【請求項３】 巻回型コアの巻き始め部を溶接または巻き止めテープにより固定した請求項１に記載の巻回型コア。
【請求項４】 
巻回型コアの巻き終わり部を溶接
により固定した
　
（２）先願明細書の段落【００２４】〜【００２６】の記載に関し，図３（ａ）〜（ｆ）には，先願に係る巻回型コアに用いる帯状アモルファス金属箔の端部の形状が例示されている。このうち，図３（ｅ）から，端部（巻き始め部又は巻き終わり部）の形状を半円形状としたものが見て取れる。
　端部の形状が半円形状の場合，その曲率半径はアモルファス金属箔の幅の１／２となるが，このことは，先願明細書の段落【００２６】の「さらに，図３（ｅ）に示すように，アモルファス金属箔の先端部を曲線形状に切断しても良く，図３（ｆ）に示すように，直線状の切断部と曲線形状の切断部を組み合わせたものでも良い。以上のように
アモルファス金属箔の先端を曲線形状とする場合，その曲率半径はアモルファス金属箔の幅手方向の幅の１／２以下の長さとすることが好ましい
　
（３）先願発明
　先願明細書の上記（１）ア〜カの記載と，先願の図３から読み取れる上記（２）の内容によれば，先願明細書には，次の発明が記載されている（以下，先願に係る発明を「先願発明」という。）。
　
「帯状のアモルファス金属箔（２）を環状に巻回して構成する巻回型コアにおいて，アモルファス金属箔（２）の巻き始め部（５）及び巻き終わり部（６）は，半円形状とすることにより幅狭に形成され，巻き終わり部（６）は溶接により固定されていることを特徴とする巻回型コア。」
　
４　本願発明と先願発明との対比
（１）両者を対比する
　・先願発明の「アモルファス金属箔」，「環状に巻回」，「巻き始め部」，「巻き終わり部」は，それぞれ，本願発明の「磁性帯板」，「渦巻き状に巻回」，「巻き初め端部」，「巻き終わり端部」に相当する。
　・先願の図３（ａ）〜（ｆ）を参照すれば分かるように，先願発明も，アモルファス金属箔（２）の巻き始め部（５）及び巻き終わり部（６）は，先端に向かって幅が縮小するように幅狭に形成されているから，本願発明と同様，「先端に向かって幅が縮小する端縁を有」するといえる。
　・巻き終わり端部の端縁が，「半円状に伸びて」いる点で，両者は共通する。
　・先願発明では，巻き終わり部（６）は，「溶接により固定」されている。ここで，「固定」とは，下層のアモルファス金属箔（磁性帯板）に「固定」するという意味であることは，図５を参照するまでもなく，明らかである。
　・「巻回型コア」も「巻き鉄心」も呼び名が異なるだけで同類のものである。
　
（２）そうすると，本願発明と先願発明の一致点と相違点は次のとおりである。
　　ア　一致点
「磁性帯板を渦巻き状に巻回して構成される環状の巻き鉄心において，磁性帯板の巻き初め端部及び巻き終わり端部はそれぞれ，先端に向かって幅が縮小する端縁を有し，巻き終わり端部の端縁は，半円状に伸びており，巻き終わり端部は，下層の磁性帯板に溶接されていることを特徴とする巻き鉄心。」
　
　　イ　相違点
　本願発明では，「巻き終わり端部の端縁は，磁性帯板の幅方向の中心位置に中心点を有すると共に磁性帯板の幅を直径として該端縁の幅方向の両端を結ぶ半円の円弧線上，若しくは該円弧線よりも内側を伸びており，巻き終わり端部は，前記円弧線の中心点の１点のみにて下層の磁性帯板に溶接されている」のに対し，先願発明には，このような開示がない点。
　
５　検討
（１）本願発明と先願発明に相違点があっても，それが設計上の微差にすぎず，技術的思想の観点からみると同一発明と評価できる場合は，相違点は実質的なものではなく，本願発明と先願発明は同一の発明であることに帰着するから，特許法２９条の２の規定により特許を受けることができない。
　そこで，以下，本願発明と先願発明との相違点が実質的なものか否かについて検討する。
　
（２）まず先願の図３（ｅ）から，端部（巻き始め部又は巻き終わり部）の形状を半円形状としたものが見て取れる。
　次に，先願の図５を見ると，複数の溶接点の存在が示されている。しかし，これは単なる例示と理解できる。発明の詳細な説明にも，特許請求の範囲にも，「溶接により固定」することが記載されているにとどまり，複数でなければならない理由はない。
　そして，少なくとも１点で溶接されれば「固定」できることは原理的に明らかであるから，先願発明は，巻き終わり端部の端縁が１点で溶接されるものを包含するものといえる余地がある。
　
（３）しかしながら，先願明細書には，発明の課題を解決する手段について，次の記載がある。
「【００１０】【課題を解決するための手段】
この発明では，帯状のアモルファス金属箔を環状に巻回してなる巻回型コアにおいて，帯状のアモルファス金属箔の巻き始め部を幅狭に形成した
【００１１】
アモルファス金属箔の巻き始め部を幅狭に形成することにより，この幅狭部分はバネ弾性が弱くなり，巻回コアの内周面から離脱する力が弱まる
このため，巻回コアの内周面の曲率にアモルファス金属箔の先端部が従うようになり，内周面での巻きほぐれを防止することができる。
帯状のアモルファス金属箔を環状に巻回してなる巻回型コアにおいて，該巻回型コアの巻き終わり部を幅狭に形成した
【００１３】
巻き終わり部を幅狭に形成することにより，幅狭部分はバネ弾性が弱くなり，巻回コアの外周面から離脱する力が弱まる。このため，巻回したコアの形状を適正に維持することができる
【００１４】さらに，
巻き始め部と巻き終わり部は溶接または巻き止めテープによって固定することが好ましい
【００１５】溶接または巻き止めテープによって固定することにより，巻回コアの巻き芯部及び外周面ではより強固な固定が得られ，巻回コアの巻きほぐれを確実に防止することができる。」
　これらの記載からすると，先願発明は，「巻き終わり部を幅狭に形成することにより，幅狭部分はバネ弾性が弱くなり，巻回コアの外周面から離脱する力が弱まる。」という原理に基づくものであることが分かる。したがって，巻き終わり部を溶接により固定するとした場合，仮に一点で溶接するとしても，「幅狭部分」で溶接することが必要となる。そうすると，巻き終わり部分が半円形状の場合は，溶接点は，端部と半円を構成する円弧線の中心点を結ぶ線上のいずれかの点（中心点そのものを除く）ということになる。すなわち，中心点そのものは，いまだ「幅狭部分」に至らないから，先願発明の範囲外である。
　
（４）これに対し，本願発明は，「巻き終わり端部は，前記円弧線の中心点の１点のみにて下層の磁性帯板に溶接されている」のであるから，先願発明の範囲外のものといえる。
　
（５）もっとも，本願明細書を見ると，本願明細書の段落【００２８】には，「尚，
本発明の各部構成は上記実施の形態に限らず，特許請求の範囲に記載の技術的範囲内で種々の変形が可能である
図７(ｂ)〜(ｆ)に示すＰ点とＣ点の間であれば，任意位置を溶接部(15)とすることも可能である
　しかし，特許請求の範囲には，「巻き終わり端部は，前記円弧線の中心点の１点のみにて下層の磁性帯板に溶接されている」と明確に記載されているから，明細書における上記構成は，本願発明では放棄されたものと理解できる。
　
（６）以上のとおりであるから，本願発明は引用発明と実質的に同一のものということができない。
　
６　結言 
　以上の次第で，本願発明は先願発明と実質的に同一のものということができないから，原査定の拒絶の理由によっては拒絶をすることはできない。
　そして，他に本願を拒絶すべき理由は見当たらない。
　よって，結論のとおり審決する